(57)【特許請求の範囲】
【請求項１】
法面に擁壁を構築するに際し、先ず、(a)天端法面において横方向に掘削法面を形成して、該掘削法面に天端コンクリート及びブロックを下方が地山に支持されるように配置し、次に、(b)前記(a)で配置されたブロックの下方に対して横方向に前記ブロックの縦サイズと同じだけ掘削した掘削法面と未掘削法面を交互に形成し、この掘削法面部分にブロックを下方が地山に支持されるように配置するとともにブロック上部を前記(a)で配置されたブロックに係合させ、(c)前記(b)で間欠的に残された未掘削地山を前記ブロックの縦方向幅の倍以上に掘削して掘削法面とし、この掘削法面部分にブロックを下方が地山に支持されるように配置するとともにブロック上部を前記(b)で配置されたブロックに係合させ、この一連の工程を土台まで交互に繰り返し、最下段においては未掘削地山を土台までの必要幅掘削して最下段ブロックを配置し、その下方に土台が設けられることを特徴とするブロックを用いる擁壁構築方法。
【請求項２】
ブロックの控えに縦方向に連通する配筋孔又は砕石充填穴を設けた請求項１記載のブロックを用いる擁壁構築方法。
【請求項３】
ブロックの上下左右に継手を有する請求項１又は２に記載のブロックを用いる擁壁構築方法。
【請求項４】
ブロック裏面の縦又は横サイズをブロック正面の縦又は横サイズよりも小さくした請求項１乃至３のいずれかに記載のブロックを用いる擁壁構築方法。
【発明の詳細な説明】
【０００１】
【発明の属する技術分野】
本発明は、通常の積み方式とは逆の上方から下方へコンクリートブロック(以下ブロックと略記)を配置して法面に擁壁を構築する方法に関する。
【０００２】
【従来の技術】
法面に擁壁を構築する場合、従来は土台の上にブロックを積む施工方法が一般的であった。しかし、下から順に上へブロックを積む通常の擁壁施工法の場合、地山を大幅に掘削する必要があり、過堀りの問題と施工中に足場が必要であるという難点を有している。また、施工中に土砂の崩壊事故といった危険が伴う。
【０００３】
法面の上方から下方へブロックを用いて擁壁を構築する方法の従来例として、図11に示すように、切り土法面１の補強にプレキャスト板２を配置する場合において、上段のプレキャスト板を地山に向けて打ち込んだ補強材(鋼棒、長尺ボルト等)３により固定した後、その下方を掘削し(a)、掘削された部分に下段のプレキャスト板を配置し(b)、下段のプレキャスト板を地山へ向けて打ち込んだ補強材３により固定する一連の工程によって、上方から下方へ擁壁を構築していく方法がある(例えば特開平7-34464号)。この施工法は余分な切り土や埋め戻しを必要としないので、土工量が低減でき、また、大幅に掘削土量が削減できるので地山を傷めず、森林維持と自然環境の保護が可能となる等の特徴がある。
【０００４】
しかし、従来のこの施工方法は上段のプレキャスト板を配置した後に、下段の掘削に先だって上段のプレキャスト板を地山の有効部へ長尺の補強材３で固定する必要がある。図11(a)〜(f)によっても明らかであるが、この作業は大変であるし、危険が伴う。そのうえ、図11(e)にみられるように、補強材３頭部をトルクレンチ等により定着し、その後に補強材３頭部を隠すキャップを装着して仕上げる煩雑な作業が必要となる。そのため、全体の工費も一般工法に比べ割高となり、工法普及の妨げにもなっている。
【０００５】
【発明が解決しようとする課題】
そこで、擁壁を構築する際に、地山の保護が可能であり、足場の構築の必要性もない、高能率に施工できるブロックを用いる擁壁構築方法を検討した。
【０００６】
【課題を解決するための手段】
上記課題を検討した結果、法面に擁壁を構築するに際し、法面上部から法面の横方向に掘削法面と未掘削地山が交互になるよう掘削法面を段状に形成し、上段で掘削法面にブロックが配置された部位の下方は未掘削地山として、この未掘削地山の上面で施工途中の擁壁荷重を支持しながら上方から下方へ擁壁を連結構築することを特徴とするブロックを用いる擁壁構築方法を開発した。
【０００７】
具体的には、法面に擁壁を構築するに際し、先ず、(a)天端法面において横方向に掘削法面を形成して、該掘削法面に天端コンクリート及びブロックを下方が地山に支持されるように配置し、次に、(b)前記(a)で配置されたブロックの下方に対して横方向に前記ブロックの縦サイズと同じだけ掘削した掘削法面と未掘削法面を交互に形成し、この掘削法面部分にブロックを下方が地山に支持されるように配置するとともにブロック上部を前記(a)で配置されたブロックに係合させ、(c)前記(b)で間欠的に残された未掘削地山を前記ブロックの縦方向幅の倍以上に掘削して掘削法面とし、この掘削法面部分にブロックを下方が地山に支持されるように配置するとともにブロック上部を前記(b)で配置されたブロックに係合させ、この一連の工程を土台まで交互に繰り返し、最下段においては未掘削地山を土台までの必要幅掘削して最下段ブロックを配置し、その下方に土台が設けられることを特徴とするブロックを用いる擁壁構築方法とした。
【０００８】
前記ブロックは、使用態様によってはその控えに縦方向に連通する配筋孔又は砕石充填穴を設ける。更に、ブロックの上下左右に隣接するブロック間との継手を設ける。これにより土圧、上部荷重等の外圧を分散できる。
【０００９】
更に、前記ブロックの背面の縦又は横サイズをブロック正面の縦又は横サイズよりも小さくすることにより、縦又は横方向のカーブにも対応させることができるようにした。
【００１０】
【発明の実施の形態】
以下図面に基づき本発明を更に詳細に説明する。図１〜図６は本発明の擁壁構築方法で施工している過程の正面図であり、図７は完成時の正面図、図８は完成時の中央縦断面図である。図９はこの施工に用いられるブロックの斜視図であり、図10は他の構造例ブロックの斜視図である。
【００１１】
図１にみられるように、擁壁を構築するに際し、先ず、天端法面において横方向に掘削法面を形成して、該掘削法面にブロックＣ1群を下方が地山に支持されるように配置し、その上に、天端コンクリート(天端ブロックでもよい)TCを上部が法面へ載るように打設配置している。ブロックＣ1群の下方から地山Ｂが支持しているからブロックＣ1や天端コンクリートが法面の下方に落ちることはない。
【００１２】
次工程で未掘削地山Ｂ1を前記ブロックＣ1の縦サイズと同じだけ掘削して掘削法面とする。この掘削した法面にブロックＣ2群を配置する(図２)。ブロックＣ2群の下方から地山が支持しているからブロックＣ2が法面を下方に落ちることはない。また、図９にみられるように用いられるブロックＣには上下左右に継手11a,11b,12a,12bを有するのでこれらの係合によって全体が一体となり、ブロックＣ2群の下方から地山が支持しているので、ブロックＣ1群の下方の次工程掘削対象地Ｂ2の部分を掘削してもブロックＣ1群は安定している。
【００１３】
図２にみられるように、次工程掘削対象地Ｂ2部分を掘削するときは、間欠的に残された未掘削地山を前記ブロックの縦方向幅の倍以上に掘削して掘削法面とする。同様にして次工程掘削対象地Ｂ3〜次工程掘削対象地Ｂ5を順次繰り返す。
上段で掘削法面にブロックが配置された部位の下方は下段では未掘削地山として、未掘削地山で施工途中の擁壁荷重を支持しながら、上方から下方へ擁壁を構築することができるのである(図３〜図５)。
【００１４】
このブロックを用いる擁壁構築方法において、これら一連の工程を土台Ｄまで交互に繰り返し、図６に示す最下段においては未掘削地山Ｂ6を土台までの必要幅だけ掘削して最下段ブロックを配置し、その下方に土台Ｄが最後に形成されている。
【００１５】
各ブロックＣの控えには配筋孔15が縦方向に上下のブロック間で連通して設けられている。これに上部の天端コンクリート(天端ブロックでもよい)に設けた配筋孔13から鉄筋14を配筋して土台Ｄに固定する。また、最上段は天端コンクリートとブロックＣ1を一体化した形状のＬ状の天端ブロックを使用してもよく、その上部に設けられた配筋孔から下方へ鉄筋を配筋してせん断抵抗を強化することが可能である。
【００１６】
更に各ブロックＣの控えに砕石充填穴16を設けている。この砕石充填穴16も上下のブロック間で連通して設けられている。このため、擁壁の背面へ裏込砕石を必要としない。
【００１７】
図９(a)にみられる例では上方が突出した形状で、下方が凹溝の継手11a,11bに加えて、左右に突出した継手(あり継手)12a,12aを設けている。そこで全面が連結された構造とするには、図９(b)にみられるように、上方が突出した形状で、下方が凹溝の継手11a,11bに加えて、横に隣接するブロックには左右に凹溝(あり溝)継手12b,12bを有する構造のブロックを用いる必要がある。
【００１８】
図10の例は、継手を図面上方と右方は突出した継手(あり継手)11a,12bとし、下方と左方の継ぎ手は凹溝(あり溝)継手11b,12aとしている。しかも、これらは前面の面(つら)から少し控えて設けているため、施工後の外観が目地のみ見えて良好である。特に、前面に擬石模様等の模様を形成すると環境に配慮したものとなる。また、１種類のブロックで施工が可能である。
【００１９】
なお、図示することを省略するが、ブロックの背面の横(施工現場によっては縦)のサイズをブロック正面の横(又は縦)のサイズよりも小さくすることによって、横(又は縦)方向の曲面施工が可能となった。
【００２０】
【発明の効果】
本発明は以上詳述したような擁壁構築方法であり、下記の特徴がある。
(1)掘削法面の過掘を最小限にすることができる。
(2)桁方向には鋼棒及びモルタルを配することで一体化及びずれ止め防止が可能である。
(3)ブロックの上下左右を連結することで外圧を分散することができる。
(4)切土と並行して施工できるため、安全施工が可能である。
(5)ブロック内に排水用の砕石を含む構造であるため、裏込砕石を必要としない。
(6)曲面(カーブ)に対しても良好な施工が可能である。
【図面の簡単な説明】
【図１】本発明の擁壁構築方法で施工している過程の正面図である。
【図２】同施工している過程の正面図である。
【図３】同施工している過程の正面図である。
【図４】同施工している過程の正面図である。
【図５】同施工している過程の正面図である。
【図６】同施工している過程の正面図である。
【図７】完成時の擁壁の正面図である。
【図８】完成時の同擁壁の中央縦断面側面図である。
【図９】  (a)、(b)共に施工に用いられたブロックの斜視図である。
【図１０】他の構造例ブロックの斜視図である。
【図１１】  (a)〜(f)は法面の上方から下方へブロックを用いて擁壁を構築する従来例の側面図である。
【符号の説明】
１  切り土法面
２  プレキャスト板
３  補強材(鋼棒、長尺ボルト等)
11a,11b  継手
12a,12b  継手
13  配筋孔
14  鉄筋
15  配筋孔
16  砕石充填穴
Ｂ  未掘削地山
Ｃ  ブロック
Ｄ  土台
TC  天端コンクリート
【図１】
0004573964.tif 000002
【図２】
0004573964.tif 000003
【図３】
0004573964.tif 000004
【図４】
0004573964.tif 000005
【図５】
0004573964.tif 000006
【図６】
0004573964.tif 000007
【図７】
0004573964.tif 000008
【図８】
0004573964.tif 000009
【図９】
0004573964.tif 000010
【図１０】
0004573964.tif 000011
【図１１】
0004573964.tif 000012